(57)【要約】【課題】差動ペアを構成するコンタクト間におけるスキューを抑制することのできるコネクタを提供すること。【解決手段】  第１コンタクト１０は、接触部１１と端子部１４との間に位置する交差部１２を有しており、第２コンタクト２０は、接触部２１と端子部２４との間に位置する交差部２２を有している。交差部１２，２２は、ＸＹ平面内において、Ｘ方向とＹ方向の双方と交差している。この交差部１２，２２を設けたことから、接触部１１，２１と端子部１４，２４のＹ方向における位置をずらすことができる。また、交差部１２，２２を利用したコンタクト配置によれば、第１コンタクト１０に含まれる差動ペアの信号コンタクト（Ｓ１，Ｓ２等）を互いに同一形状とすることができる。【選択図】図５
2015158992.tif 000002
【特許請求の範囲】
【請求項１】
対象物に搭載固定されると共に相手側コンタクトを備える相手側コネクタと嵌合方向に沿って嵌合するコネクタであって、
前記コネクタは、複数のコンタクトと、前記コンタクトを保持するハウジングとを備えており、
前記コンタクトの夫々は、前記相手側コンタクトと接触する接触部と、前記対象物に接続される端子部であって前記嵌合方向と直交するピッチ方向において前記接触部と異なる位置に位置する端子部と、前記接触部と前記端子部との間に位置する交差部とを有しており、
前記交差部は、前記嵌合方向と前記ピッチ方向とで規定される平面内において、前記嵌合方向と前記ピッチ方向の双方と交差しており、
前記コンタクトには、複数の第１コンタクトと、複数の第２コンタクトとが少なくとも含まれており、
前記第１コンタクトの前記接触部は、前記ピッチ方向に一列に並べられており、
前記第２コンタクトの前記接触部は、前記ピッチ方向に一列に並べられていると共に前記嵌合方向と前記ピッチ方向の双方と直交する所定方向において前記第１コンタクトの前記接触部から離れて位置しており、
前記第１コンタクトの前記端子部と前記第２コンタクトの前記端子部は前記ピッチ方向に一列に並べられており、
前記第１コンタクトには、少なくとも一対の差動ペアを構成する信号コンタクトが含まれており、
前記差動ペアの信号コンタクトは、互いに同一形状を有している
コネクタ。
【請求項２】
請求項１記載のコネクタであって、
前記第１コンタクトの前記交差部と前記第２コンタクトの前記交差部とは、前記嵌合方向において互いに同じ方向に向かって延びている一方、前記ピッチ方向において互いに異なる方向に向かって延びている
コネクタ。
【請求項３】
請求項１又は請求項２記載のコネクタであって、
前記第１コンタクトは、互いに同一形状を有しており、
前記第２コンタクトは、互いに同一形状を有している
コネクタ。
【請求項４】
請求項１乃至請求項３のいずれかに記載のコネクタであって、
前記第１コンタクトの前記接触部から前記端子部までの長さは、前記第２コンタクトの前記接触部から前記端子部までの長さと等しい
コネクタ。
【請求項５】
請求項１乃至請求項４のいずれかに記載のコネクタであって、
前記第１コンタクトには、前記ピッチ方向において前記差動ペアの信号コンタクトを挟むようにして配置されたグランドコンタクトが更に含まれており、
前記信号コンタクトの一方から前記グランドコンタクトの１つまでの最短距離は、前記信号コンタクトの他方から前記グランドコンタクトの１つまでの最短距離と等しい
コネクタ。
【請求項６】
請求項１乃至請求項５のいずれかに記載のコネクタであって、
前記交差部の夫々は、全体的に前記ハウジング内に埋め込まれている
コネクタ。
【請求項７】
請求項１乃至請求項６のいずれかに記載のコネクタであって、
前記第１コンタクトの前記接触部と前記第２コンタクトの前記接触部とは、前記ピッチ方向において交互に位置している
コネクタ。
【請求項８】
請求項１乃至請求項７のいずれかに記載のコネクタであって、
前記第１コンタクトと前記第２コンタクトとは互いに異なる信号系統に属している
コネクタ。
【請求項９】
請求項１乃至請求項８のいずれかに記載のコネクタであって、
前記コネクタは、前記ハウジングを少なくとも部分的に覆うシェルを更に備えており、
前記シェルは、前記嵌合方向において、前記ハウジングの長さの２倍以上の長さを有している
コネクタ。
【発明の詳細な説明】
【技術分野】
【０００１】
本発明は、高速信号伝送用の差動ペアとなる信号コンタクトを少なくとも備えるコネクタに関する。
【背景技術】
【０００２】
図２１及び図２２を参照すると、特許文献１のコネクタは、複数のコンタクトと、それらコンタクトを保持するハウジングと、ハウジングを覆うシェルとを備えている。コンタクトは、２つのグループに分けられている。各グループのコンタクトの接触部は、ピッチ方向に一列に並んでいる。即ち、コンタクトの接触部は、二列に並んでいる。一方、２つのグループのコンタクトの端子部は、ピッチ方向に一列に並んでいる。詳しくは、一方のグループのコンタクトの端子部と他方のグループのコンタクトの端子部とはピッチ方向において交互に並んでいる。コンタクトには、高速信号伝送用の差動ペアとなる信号コンタクトが少なくとも含まれている。なお、いずれのコンタクトが差動ペアを構成しているかは特許文献１には記載されていない。
【先行技術文献】
【特許文献】
【０００３】
【特許文献１】特開２０１２−５４２１５号公報
【発明の概要】
【発明が解決しようとする課題】
【０００４】
特許文献１のコネクタには、少なくとも同一形状のコンタクトは含まれていない。従って、特許文献１のコネクタには、いずれのコンタクトが差動ペアを構成していたとしても、差動ペアを構成するコンタクト間におけるインピーダンス整合が困難であり、スキューが発生し易いという問題がある。
【０００５】
そこで、本発明は、差動ペアを構成するコンタクト間におけるスキューを抑制することのできるコネクタを提供することを目的とする。
【課題を解決するための手段】
【０００６】
本発明は、第１のコネクタとして、
対象物に搭載固定されると共に相手側コンタクトを備える相手側コネクタと嵌合方向に沿って嵌合するコネクタであって、
前記コネクタは、複数のコンタクトと、前記コンタクトを保持するハウジングとを備えており、
前記コンタクトの夫々は、前記相手側コンタクトと接触する接触部と、前記対象物に接続される端子部であって前記嵌合方向と直交するピッチ方向において前記接触部と異なる位置に位置する端子部と、前記接触部と前記端子部との間に位置する交差部とを有しており、
前記交差部は、前記嵌合方向と前記ピッチ方向とで規定される平面内において、前記嵌合方向と前記ピッチ方向の双方と交差しており、
前記コンタクトには、複数の第１コンタクトと、複数の第２コンタクトとが少なくとも含まれており、
前記第１コンタクトの前記接触部は、前記ピッチ方向に一列に並べられており、
前記第２コンタクトの前記接触部は、前記ピッチ方向に一列に並べられていると共に前記嵌合方向と前記ピッチ方向の双方と直交する所定方向において前記第１コンタクトの前記接触部から離れて位置しており、
前記第１コンタクトの前記端子部と前記第２コンタクトの前記端子部は前記ピッチ方向に一列に並べられており、
前記第１コンタクトには、少なくとも一対の差動ペアを構成する信号コンタクトが含まれており、
前記差動ペアの信号コンタクトは、互いに同一形状を有している
コネクタを提供する。
【０００７】
また、本発明は、第２のコネクタとして、第１のコネクタであって、
前記第１コンタクトの前記交差部と前記第２コンタクトの前記交差部とは、前記嵌合方向において互いに同じ方向に向かって延びている一方、前記ピッチ方向において互いに異なる方向に向かって延びている
コネクタを提供する。
【０００８】
また、本発明は、第３のコネクタとして、第１又は第２のコネクタであって、
前記第１コンタクトは、互いに同一形状を有しており、
前記第２コンタクトは、互いに同一形状を有している
コネクタを提供する。
【０００９】
また、本発明は、第４のコネクタとして、第１乃至第３のいずれかのコネクタであって、
前記第１コンタクトの前記接触部から前記端子部までの長さは、前記第２コンタクトの前記接触部から前記端子部までの長さと等しい
コネクタを提供する。
【００１０】
また、本発明は、第５のコネクタとして、第１乃至第４のいずれかのコネクタであって、
前記第１コンタクトには、前記ピッチ方向において前記差動ペアの信号コンタクトを挟むようにして配置されたグランドコンタクトが更に含まれており、
前記信号コンタクトの一方から前記グランドコンタクトの１つまでの最短距離は、前記信号コンタクトの他方から前記グランドコンタクトの１つまでの最短距離と等しい
コネクタを提供する。
【００１１】
また、本発明は、第６のコネクタとして、第１乃至第５のいずれかのコネクタであって、
前記交差部の夫々は、全体的に前記ハウジング内に埋め込まれている
コネクタを提供する。
【００１２】
また、本発明は、第７のコネクタとして、第１乃至第６のいずれかのコネクタであって、
前記第１コンタクトの前記接触部と前記第２コンタクトの前記接触部とは、前記ピッチ方向において交互に位置している
コネクタを提供する。
【００１３】
また、本発明は、第８のコネクタとして、第１乃至第７のいずれかのコネクタであって、
前記第１コンタクトと前記第２コンタクトとは互いに異なる信号系統に属している
コネクタを提供する。
【００１４】
また、本発明は、第９のコネクタとして、第１乃至第８のいずれかのコネクタであって、
前記コネクタは、前記ハウジングを少なくとも部分的に覆うシェルを更に備えており、
前記シェルは、前記嵌合方向において、前記ハウジングの長さの２倍以上の長さを有している
コネクタを提供する。
【発明の効果】
【００１５】
上述のように、各コンタクトは、嵌合方向及びピッチ方向で規定される平面内において嵌合方向及びピッチ方向の双方と交差している交差部を有している。交差部を有していることから、接触部と端子部のピッチ方向における位置をずらすことができる。加えて、交差部を利用したコンタクトの配置によれば、差動ペアを構成する信号コンタクトの形状を互いに同一形状とすることができ、スキューを抑制することができる。
【図面の簡単な説明】
【００１６】
【図１】本発明の実施の形態によるコネクタを示す前側斜視図である。
【図２】図１のコネクタを示す後側斜視図である。
【図３】図１のコネクタを示す正面図である。
【図４】図３のコネクタをIV--IV線に沿って示す断面図である。ハウジング等の一部が透過して示されている。
【図５】図４のコネクタに含まれるコンタクトを示す斜視図である。
【図６】図５のコンタクトを示す側面図である。
【図７】図５のコンタクトのうちの第１コンタクトを示す斜視図である。
【図８】図５のコンタクトのうちの第２コンタクトを示す斜視図である。
【図９】変形例のコネクタに含まれるコンタクトを示す斜視図である。
【図１０】図９のコンタクトを示す側面図である。
【図１１】図９のコンタクトのうちの第１コンタクトを示す斜視図である。
【図１２】図９のコンタクトのうちの第２コンタクトを示す斜視図である。
【図１３】他の変形例のコネクタに含まれるコンタクトを示す斜視図である。
【図１４】図１３のコンタクトを示す側面図である。
【図１５】図１３のコンタクトのうちの一群のコンタクトを示す斜視図である。
【図１６】図１３のコンタクトのうちの他の一群のコンタクトを示す斜視図である。
【図１７】更に他の変形例のコネクタに含まれるコンタクトを示す斜視図である。
【図１８】図１７のコンタクトを示す側面図である。
【図１９】図１７のコンタクトのうちの一群のコンタクトを示す斜視図である。
【図２０】図１７のコンタクトのうちの他の一群のコンタクトを示す斜視図である。
【図２１】特許文献１のコネクタを示す前側斜視図である。
【図２２】特許文献１のコネクタを示す後側斜視図である。
【発明を実施するための形態】
【００１７】
図１乃至図４を参照すると、本発明の実施の形態によるコネクタ１は、回路基板（図示せず）のような対象物に搭載固定されるものであり、導電体からなる複数の第１コンタクト（コンタクト）１０と、導電体からなる複数の第２コンタクト（コンタクト）２０と、絶縁体からなるハウジング５０と、金属製のシェル６０とを備えている。本実施の形態によるコネクタ１は、嵌合端２において開口した受容部３を有するレセプタクルであり、相手側コネクタとなるプラグ（図示せず）を部分的に受容部３に受容することにより、プラグ（図示せず）とＸ方向（嵌合方向）に沿って嵌合する。
【００１８】
図３及び図４に示されるように、ハウジング５０は、ブロック状の保持部５２と、板状部５４とを有している。図４に示されるように、保持部５２は、第１コンタクト１０及び第２コンタクト２０の一部を保持している（後述）。図３及び図４から理解されるように、板状部５４は、Ｘ方向とＹ方向（ピッチ方向）とで規定される平面（ＸＹ平面）と平行に延びており、且つ、嵌合端２に向かって（即ち、−Ｘ側に向かって）保持部５２から突出している。
【００１９】
図１乃至図４に示されるように、シェル６０は、ハウジング５０を部分的に覆っている。図４から理解されるように、本実施の形態のシェル６０は、Ｘ方向に長い形状を有している。具体的には、シェル６０は、Ｘ方向において、ハウジング５０の長さの２倍以上の長さを有している。このため、相手側コネクタ（図示せず）が煽られた場合でも第１コンタクト１０及び第２コンタクト２０に加わるストレスを低減することができる。
【００２０】
図１、図２及び図４に示されるように、本実施の形態のシェル６０には、相手側コネクタ（図示せず）の相手側シェル（図示せず）と接続するための複数のバネ部６２が設けられている。また、このバネ部６２の形成のために、シェル６０には複数の開口６４が形成されている。しかしながら、図４に最も良く示されるように、開口６４は、いずれもハウジング５０や第１コンタクト１０及び第２コンタクト２０よりも嵌合端２に近い位置に位置している。換言すると、すべての開口６４は、ハウジング５０と嵌合端２との間に位置しており、Ｘ方向において開口６４の位置とハウジング５０の位置とは異なっている。特に、板状部５４は、Ｘ方向と直交するＹＺ平面内においてシェル６０により完全に囲まれている。このため、本実施のコネクタ１は、高い耐ＥＭＩ（Electro-Magnetic Interference）特性を有している。
【００２１】
本実施の形態において、第１コンタクト１０は送信用に用いられるものであり、第２コンタクト２０は受信用に用いられるものである。即ち、本実施の形態において、第１コンタクト１０と第２コンタクト２０とは互いに異なる信号系統に属している。但し、本発明はこれに限定されるわけではない。例えば、用途によっては、第１コンタクト１０及び第２コンタクト２０の双方とも送受信に用いられてもよい。
【００２２】
図４乃至図７に示されるように、第１コンタクト１０は、夫々、接触部１１と、交差部１２と、連結部１３と、端子部１４と、先端部１５とを有している。接触部１１は、相手側コネクタ（図示せず）の相手側コンタクト（図示せず）と接触する部位であり、Ｙ方向及びＺ方向（所定方向）と直交し且つＸ方向に沿って延びている。交差部１２は、接触部１１から斜めに延びている。即ち、本実施の形態の交差部１２は、少なくともＸＹ平面内においてＸ方向及びＹ方向の双方と交差している。詳しくは、交差部１２は、接触部１１から＋Ｘ方向且つ＋Ｙ方向に向かって延びている。即ち、本実施の形態の交差部１２は、ＸＹ平面内においてＸ方向及びＹ方向の双方と斜交している。連結部１３は、Ｌ字状の形状を有しており、交差部１２と端子部１４とを連結している。このことから理解されるように、交差部１２は、接触部１１と端子部１４との間に位置している。端子部１４は、回路基板（図示せず）のような対象物に接続される部位である。図４に最も良く示されるように、本実施の形態の端子部１４は、交差部１２の形状配置に起因して、Ｙ方向において接触部１１と異なる位置に位置している。先端部１５は、接触部１１の先端に設けられており、且つ、Ｘ方向と交差するように−Ｚ方向に延びている。
【００２３】
図５乃至図７に示されるように、第１コンタクト１０は、互いに同一形状を有している。また、図５及び図７から理解されるように、第１コンタクト１０には、４本の信号コンタクトＳ１，Ｓ２，Ｓ３，Ｓ４と３本のグランドコンタクトＧ１，Ｇ２，Ｇ３とが含まれている。信号コンタクトＳ１，Ｓ２は１つの差動ペアを構成しており、信号コンタクトＳ３，Ｓ４は他の差動ペアを構成している。このことから理解されるように、各差動ペアを構成する信号コンタクトＳ１，Ｓ２，Ｓ３，Ｓ４は、互いに同一形状を有している。
【００２４】
図４乃至図６及び図８に示されるように、第２コンタクト２０は、第１コンタクト１０と同様に、夫々、接触部２１と、交差部２２と、連結部２３と、端子部２４と、先端部２５とを有している。接触部２１は、相手側コネクタ（図示せず）の相手側コンタクト（図示せず）と接触する部位であり、Ｙ方向及びＺ方向（所定方向）と直交し且つＸ方向に沿って延びている。交差部２２は、接触部２１から斜めに延びている。即ち、本実施の形態の交差部２２は、少なくともＸＹ平面内においてＸ方向及びＹ方向の双方と交差している。詳しくは、交差部２２は、接触部２１から＋Ｘ方向且つ−Ｙ方向に向かって延びている。即ち、本実施の形態の交差部２２は、ＸＹ平面内においてＸ方向及びＹ方向の双方と斜交している。連結部２３は、Ｌ字状の形状を有しており、交差部２２と端子部２４とを連結している。このことから理解されるように、交差部２２は、接触部２１と端子部２４との間に位置している。端子部２４は、回路基板（図示せず）のような対象物に接続される部位である。図４に最も良く示されるように、本実施の形態の端子部２４は、交差部２２の形状配置に起因して、Ｙ方向において接触部２１と異なる位置に位置している。先端部２５は、接触部２１の先端に設けられており、且つ、Ｘ方向と交差するように＋Ｚ方向に延びている。
【００２５】
図５、図６及び図８に示されるように、第２コンタクト２０もまた、互いに同一形状を有している。また、図５及び図８から理解されるように、第２コンタクト２０には、４本の信号コンタクトＳ５，Ｓ６，Ｓ７，Ｓ８と３本のグランドコンタクトＧ４，Ｇ５，Ｇ６とが含まれている。信号コンタクトＳ５，Ｓ６は１つの差動ペアを構成しており、信号コンタクトＳ７，Ｓ８は他の差動ペアを構成している。このことから理解されるように、各差動ペアを構成する信号コンタクトＳ５，Ｓ６，Ｓ７，Ｓ８は、互いに同一形状を有している。
【００２６】
上述した連結部１３，２３の形状から理解されるように、本実施の形態のコネクタ１は、いわゆるライトアングルタイプである（図２参照）。但し、本発明はこれに限定されるわけではなく、コネクタ１はストレートタイプであってもよい。
【００２７】
本実施の形態の端子部１４，２４は、回路基板（図示せず）の表面に半田等により固定されるＳＭＴ（Surface mount technology）端子であり、連結部１３，２３の−Ｚ側端部から連結部１３，２３と９０度をなすようにして延びている。但し、本発明はこれに限定されるわけではなく、端子部１４，２４は、回路基板（図示せず）に形成されたスルーホール（図示せず）に挿入され半田等で固定されるスルーホール実装（ＴＨＴ：Through-hole technology）用であってもよい。
【００２８】
本実施の形態の第１コンタクト１０及び第２コンタクト２０は、ハウジング５０を成型する際にインサート成型法によりハウジング５０に組み込まれ、保持されている。具体的には、図４に示されるように、交差部１２，２２が全体的にハウジング５０内に埋め込まれている。詳しくは、交差部１２，２２の殆どが保持部５２内に埋め込まれている。但し、本発明はこれに限定されるわけではなく、第１コンタクト１０及び第２コンタクト２０は例えば圧入等の他の方法によりハウジング５０に保持されていてもよい。
【００２９】
図３及び図４に示されるように、複数の接触部１１はハウジング５０の板状部５４の一方の主面（＋Ｚ側の主面）上においてＹ方向に一列に並べられており、複数の接触部２１は板状部５４の他方の主面（−Ｚ側の主面）上においてＹ方向に一列に並べられている。詳しくは、複数の接触部１１はＹ方向において互いに平行に等間隔に並べられており、同様に複数の接触部２１はＹ方向において互いに平行に等間隔に並べられている。この際、先端部１５，２５（図５参照）は板状部５４内に埋め込まれている。このため、コネクタ１と相手側コネクタ（図示せず）との嵌合の際に、第１コンタクト１０及び第２コンタクト２０の先端部１５，２５に力が加わって第１コンタクト１０及び第２コンタクト２０が座屈してしまうことを避けることができる。
【００３０】
また、接触部１１と接触部２１とはＺ方向において互いに離れて位置している。即ち、第１コンタクト１０及び第２コンタクト２０は、嵌合端２（図４参照）に近い側（即ち、嵌合側）において二列に並べられている。特に、図４に示されるように、接触部１１と接触部２１とは半ピッチずれて配置されている。換言すると、接触部１１と接触部２１とはＹ方向において交互に位置している。
【００３１】
一方、図４乃至図６から理解されるように、複数の端子部１４及び複数の端子部２４は共にＹ方向に一列に並べられている。詳しくは、複数の端子部１４及び複数の端子部２４は、Ｙ方向において互いに平行に等間隔に並べられている。このように、第１コンタクト１０及び第２コンタクト２０は、回路基板（図示せず）側において一列に並べられている。
【００３２】
上述したように、本実施の形態によるコネクタ１には、４つの差動ペアが含まれている。差動ペアを構成する信号コンタクトＳ１，Ｓ２はグランドコンタクトＧ１，Ｇ２に挟まれている。同様に、差動ペアを構成する信号コンタクトＳ３，Ｓ４はグランドコンタクトＧ２，Ｇ３に挟まれている。即ち、一の差動ペアに属する信号コンタクトＳ１，Ｓ２と他の差動ペアに属する信号コンタクトＳ３，Ｓ４の間には、グランドコンタクトＧ２が位置しており、差動ペア同士が相互に影響を及ぼすおそれが低減されている。また、差動ペアを構成する信号コンタクトＳ５，Ｓ６はグランドコンタクトＧ４，Ｇ５に挟まれている。同様に、差動ペアを構成する信号コンタクトＳ７，Ｓ８はグランドコンタクトＧ５，Ｇ６に挟まれている。即ち、一の差動ペアに属する信号コンタクトＳ５，Ｓ６と他の差動ペアに属する信号コンタクトＳ７，Ｓ８の間には、グランドコンタクトＧ５が位置しており、差動ペア同士が相互に影響を及ぼすおそれが低減されている。
【００３３】
更に、接触部１１，２１並びに端子部１４，２４が等間隔に並べられていることから理解されるように、いずれの差動ペアにおいても、信号コンタクトの一方からグランドコンタクトの１つまでの最短距離は、信号コンタクトの他方からグランドコンタクトの１つまでの最短距離と等しい。例えば、グランドコンタクトＧ１，Ｇ２に挟まれた差動ペアにおいて、信号コンタクトＳ１からグランドコンタクトＧ１までの最短距離は、信号コンタクトＳ２からグランドコンタクトＧ２までの最短距離と等しい。このように、各差動ペアを構成する信号コンタクト同士は、互いに同じ形状を有しており且つグランド等の影響も同じである。従って、各差動ペアを構成する信号コンタクト間にはスキューが生じにくい。
【００３４】
加えて、上述したように、接触部１１と接触部２１とはＹ方向において交互に位置している。従って、板状部５４の厚みが薄い場合でも、ＹＺ平面内において、接触部１１と接触部２１との間の距離を比較的大きくとることができ、クロストークを低減することができる。
【００３５】
上述したように、交差部１２は、接触部１１から＋Ｘ方向且つ＋Ｙ方向に向かって延びており、交差部２２は、接触部２１から＋Ｘ方向且つ−Ｙ方向に向かって延びている（図４参照）。即ち、第１コンタクト１０の交差部１２と第２コンタクト２０の交差部２２とは、Ｘ方向においては互いに同じ方向に向かって延びているが、Ｙ方向においては互いに異なる方向に向かって延びている。このため、第１コンタクト１０及び第２コンタクト２０が嵌合側においては二列に並んでおり且つ回路基板（図示せず）側においては一列に並んでいる場合であっても、第１コンタクト１０が互いに同一形状を有し且つ第２コンタクト２０が互いに同一形状を有することができる。
【００３６】
以上、本発明について実施の形態を掲げて詳細に説明してきたが、本発明はこれらに限定されるものではなく、様々な変形や応用が可能である。例えば、上述したコネクタ１は、ライトアングルタイプであったが、ストレートタイプであってもよい。また、上述した第１コンタクト１０及び第２コンタクト２０は、ＳＭＴ端子を有していたが、ＴＨＴ用の端子を備えていてもよい。更に、上述したコネクタ１において、コンタクト（１０，２０）は、嵌合側において二列に並べられ、回路基板（図示せず）側において一列に並べられていたが、嵌合側において三列以上に並べられていてもよいし、回路基板側において二列以上に並べられていてもよい。以下、これらの変形例について図面を参照しつつ具体的に説明する。
【００３７】
図９乃至図１２を参照すると、第１変形例による第１コンタクト１０ａ及び第２コンタクト２０ａは、接触部１１ａ，２１ａと、交差部１２ａ，２２ａと、端子部１４ａ，２４ａとを有している。第１コンタクト１０ａは互いに同一形状を有しており、第２コンタクト２０ａは互いに同一形状を有している。接触部１１ａ及び接触部２１ａは、Ｚ方向において互いに離れており、且つ、夫々、Ｙ方向において等間隔に一列に並んでいる。このように、接触部１１ａ，２１ａは二列に並んでいる。交差部１２ａ及び交差部２２ａは、Ｘ方向、Ｙ方向及びＺ方向のすべてと交差している。詳しくは、交差部１２ａは、接触部１１ａから＋Ｘ方向且つ＋Ｙ方向且つ−Ｚ方向に向かって延びている。一方、交差部２２ａは、接触部２１ａから＋Ｘ方向且つ−Ｙ方向且つ＋Ｚ方向に向かって延びている。端子部１４ａ及び端子部２４ａは、交差部１２ａ及び交差部２２ａから＋Ｘ方向に直線状に延びている。図９に示されるように、端子部１４ａ及び端子部２４ａは、Ｙ方向において等間隔に一列に並んでいる。図１０に示されるように、端子部１４ａ及び端子部２４ａは、Ｚ方向において、接触部１１ａと接触部２１ａから等しい位置に位置している。これらのことから理解されるように、第１コンタクト１０ａの接触部１１ａから端子部１４ａまでの長さは、第２コンタクト２０ａの接触部２１ａから端子部２４ａまでの長さに等しい。即ち、第１コンタクト１０ａと第２コンタクト２０ａとは、信号経路長において互いに等しい。
【００３８】
交差部１２ａ，２２ａと端子部１４ａ，２４ａの関係から理解されるように、第１変形例による第１コンタクト１０ａ及び第２コンタクト２０ａを備えるコネクタは、上述したライトアングルタイプではなく、ストレートタイプである。
【００３９】
また、端子部１４ａ，２４ａの形状から理解されるように、スルーホール実装用のものである。
【００４０】
図１３乃至図１６を参照すると、第２変形例によるコンタクトは、上述した第１コンタクト１０及び第２コンタクト２０に加えて、第３コンタクト３０及び第４コンタクト４０を備えている。第３コンタクト３０及び第４コンタクト４０は、いずれもグランドコンタクトと信号コンタクトとを含んでおり、それらの配置は、上述した第１コンタクト１０及び第２コンタクト２０のものと同じである。
【００４１】
第３コンタクト３０及び第４コンタクト４０は、接触部３１，４１と、交差部３２，４２と、連結部３３，４３と、端子部３４，４４とを有している。第３コンタクト３０は互いに同一形状を有しており、第４コンタクト４０は互いに同一形状を有している。接触部３１及び接触部４１は、Ｚ方向において互いに離れており、且つ、夫々、Ｙ方向において等間隔に一列に並んでいる。このように、接触部３１，４１は二列に並んでいる。第３コンタクト３０及び第４コンタクト４０の先端形状から理解されるように、第２変形例用のハウジング（図示せず）には２つの板状部が設けられており、第３コンタクト３０の接触部３１はそのうちの１つの板状部の表面に配置され、第４コンタクト４０の接触部４１はその板状部の裏面に配置される。交差部３２及び交差部４２は、交差部１２及び交差部２２と同様に、ＸＹ平面内においてＸ方向及びＹ方向と交差するように延びている。詳しくは、交差部３２は、接触部３１から＋Ｘ方向且つ＋Ｙ方向に向かって延びている。一方、交差部４２は、接触部４１から＋Ｘ方向且つ−Ｙ方向に向かって延びている。但し、交差部３２は、交差部１２よりも＋Ｙ側まで延びており、交差部４２は、交差部２２よりも−Ｙ側まで延びている。連結部３３，４３は、交差部３２，４２の＋Ｘ側端部からＬ字状に延びている。端子部３４，４４は、連結部３３，４３の−Ｚ側端部から＋Ｘ方向に延びているＳＭＴ端子である。端子部３４，４４は、端子部１４，２４と共にＹ方向において等間隔に一列に並べられている。
【００４２】
図１７乃至図２０を参照すると、第３変形例によるコンタクトは、上述した第１コンタクト１０及び第２コンタクト２０に加えて、第３コンタクト３０ａ及び第４コンタクト４０ａを備えている。第３コンタクト３０ａ及び第４コンタクト４０ａは、いずれもグランドコンタクトと信号コンタクトとを含んでおり、それらの配置は、上述した第１コンタクト１０及び第２コンタクト２０のものと同じである。
【００４３】
第３コンタクト３０ａ及び第４コンタクト４０ａは、接触部３１ａ，４１ａと、交差部３２ａ，４２ａと、連結部３３ａ，４３ａと、端子部３４ａ，４４ａとを有している。第３コンタクト３０ａは互いに同一形状を有しており、第４コンタクト４０ａは互いに同一形状を有している。接触部３１ａ及び接触部４１ａは、Ｚ方向において互いに離れており、且つ、夫々、Ｙ方向において等間隔に一列に並んでいる。このように、接触部３１ａ，４１ａは二列に並んでいる。第３コンタクト３０ａ及び第４コンタクト４０ａの先端形状から理解されるように、第３変形例用のハウジング（図示せず）には２つの板状部が設けられており、第３コンタクト３０ａの接触部３１ａはそのうちの１つの板状部の表面に配置され、第４コンタクト４０ａの接触部４１ａはその板状部の裏面に配置される。交差部３２ａ及び交差部４２ａは、交差部１２及び交差部２２と同様に、ＸＹ平面内においてＸ方向及びＹ方向と交差するように延びている。詳しくは、交差部３２ａは、接触部３１ａから＋Ｘ方向且つ＋Ｙ方向に向かって延びている。一方、交差部４２ａは、接触部４１ａから＋Ｘ方向且つ−Ｙ方向に向かって延びている。連結部３３ａ，４３ａは、交差部３２ａ，４２ａの＋Ｘ側端部からＬ字状に延びている。特に、図１７及び図１８から理解されるように、接触部３１ａ，４１ａ、交差部３２ａ，４２ａ及び端子部３４ａ，４４ａは、夫々、接触部１１，２１、交差部１２，２２及び端子部１４，２４と同じサイズを有している。これに対して、連結部３３ａ，４３ａは連結部１３，２３よりも大きい。端子部３４ａ，４４ａは、連結部３３ａ，４３ａの−Ｚ側端部から＋Ｘ方向に延びているＳＭＴ端子である。端子部３４ａ，４４ａは、端子部１４，２４と同様にＹ方向において等間隔に一列に並べられているが、端子部１４，２４とはＸ方向において離れて位置している。即ち、第１コンタクト１０、第２コンタクト２０、第３コンタクト３０ａ及び第４コンタクト４０ａは、回路基板（図示せず）側において二列に並べられている。
【００４４】
これらの変形例においても上述した実施の形態と同様の効果を得ることができる。
【符号の説明】
【００４５】
１        コネクタ
２        嵌合端
３        受容部
１０，１０ａ        第１コンタクト（コンタクト）
Ｓ１，Ｓ２，Ｓ３，Ｓ４        信号コンタクト
Ｇ１，Ｇ２，Ｇ３        グランドコンタクト
１１，１１ａ        接触部
１２，１２ａ        交差部
１３        連結部
１４，１４ａ        端子部
１５        先端部
２０，２０ａ        第２コンタクト（コンタクト）
Ｓ５，Ｓ６，Ｓ７，Ｓ８        信号コンタクト
Ｇ４，Ｇ５，Ｇ６        グランドコンタクト
２１，２１ａ        接触部
２２，２２ａ        交差部
２３        連結部
２４，２４ａ        端子部
２５        先端部
３０，３０ａ        第３コンタクト（コンタクト）
３１，３１ａ        接触部
３２，３２ａ        交差部
３３，３３ａ        連結部
３４，３４ａ        端子部
４０，４０ａ        第４コンタクト（コンタクト）
４１，４１ａ        接触部
４２，４２ａ        交差部
４３，４３ａ        連結部
４４，４４ａ        端子部
５０        ハウジング
５２        保持部
５４        板状部
６０        シェル
６２        バネ部
６４        開口
Ｘ        嵌合方向
Ｙ        ピッチ方向
Ｚ        所定方向
【図１】
2015158992.tif 000003
【図２】
2015158992.tif 000004
【図３】
2015158992.tif 000005
【図４】
2015158992.tif 000006
【図５】
2015158992.tif 000007
【図６】
2015158992.tif 000008
【図７】
2015158992.tif 000009
【図８】
2015158992.tif 000010
【図９】
2015158992.tif 000011
【図１０】
2015158992.tif 000012
【図１１】
2015158992.tif 000013
【図１２】
2015158992.tif 000014
【図１３】
2015158992.tif 000015
【図１４】
2015158992.tif 000016
【図１５】
2015158992.tif 000017
【図１６】
2015158992.tif 000018
【図１７】
2015158992.tif 000019
【図１８】
2015158992.tif 000020
【図１９】
2015158992.tif 000021
【図２０】
2015158992.tif 000022
【図２１】
2015158992.tif 000023
【図２２】
2015158992.tif 000024
【手続補正書】
【提出日】平成26年11月19日(2014.11.19)
【手続補正１】
【補正対象書類名】特許請求の範囲
【補正対象項目名】請求項５
【補正方法】変更
【補正の内容】
【請求項５】
請求項１乃至請求項４のいずれかに記載のコネクタであって、
前記第１コンタクトには、前記ピッチ方向において前記差動ペアの信号コンタクトを挟むようにして配置された２つのグランドコンタクトが更に含まれており、
前記信号コンタクトの一方から当該信号コンタクトの一方に近い方の前記グランドコンタクトまでの最短距離は、前記信号コンタクトの他方から当該信号コンタクトの他方に近い方の前記グランドコンタクトまでの最短距離と等しい
コネクタ。